(57)【要約】【課題】遊技機前面側に設けられた上下一連の装飾の変更が容易なパチンコ遊技機の提供。【解決手段】遊技領域８を視認可能にする透明部材３２を保持するとともに本体枠１に対して開閉可能な透明部材保持枠３が、前面側に設けられ、透明部材保持枠３の前面側には、遊技球を貯留する受け皿部６が遊技領域８の下方に設けられるとともに、遊技領域８と受け皿部６とを囲繞するように略連続的に装飾部が設けられ、装飾部の前壁部の全部又は一部が、透明部材保持枠３に対して前方から開閉又は着脱可能に構成されたパチンコ遊技機Ｐ１。【選択図】図３
2012170466.tif 000002
【特許請求の範囲】
【請求項１】
遊技領域を視認可能にする透明部材を保持するとともに本体枠に対して開閉可能な透明部材保持枠が、前面側に設けられたパチンコ遊技機であって、
前記透明部材保持枠の前面側には、遊技球を貯留する受け皿部が前記遊技領域の下方に設けられるとともに、前記遊技領域と前記受け皿部とを囲繞するように略連続的に装飾部が設けられ、
前記装飾部の前壁部の全部又は一部が、前記透明部材保持枠に対して前方から開閉又は着脱可能に構成されたことを特徴とするパチンコ遊技機。
【請求項２】
前記装飾部の内部に装飾体が着脱可能に配置されて、前記前壁部を介して前記装飾体が視認可能に構成されていることを特徴とする請求項１記載のパチンコ遊技機。
【発明の詳細な説明】
【技術分野】
【０００１】
本発明は、前面に装飾部を設けたパチンコ遊技機に関する。
【背景技術】
【０００２】
下記特許文献１には、遊技機前面における上下のデザイン的なアンバランス感を改善し、装飾性を向上させるために、ガラス枠と開閉パネルと下部パネルとにかけて一連状態に電気的装飾部材を設けた遊技機が開示されている。
【先行技術文献】
【特許文献】
【０００３】
【特許文献１】特開平９−１３１４２８号公報
【発明の概要】
【発明が解決しようとする課題】
【０００４】
ところで、上記のように遊技機前面側に上下一連に設けられた装飾を、遊技盤のデザインに合わせて変更したい場合がある。しかし、上記特許文献１の遊技機では、段落００１８に記載されているように、装飾部材の各レンズ部材は、ガラス枠本体、開閉パネル、或いは、下部パネルの裏面側からネジを挿通し、レンズ部材に設けられた取付けリブのネジ穴に捩じ込むことにより、取り付けられている。したがって、ガラス枠、開閉パネル、或いは、下部パネルを、前面枠に対して開いた状態として、裏面側からネジを取り外さなければ、レンズ部材を取り外すことができず、装飾の変更が容易でないという問題があった。
【０００５】
本発明は、上述した問題を解決するものであり、遊技機前面側に設けられた上下一連の装飾の変更が容易なパチンコ遊技機を提供することを目的とする。
【課題を解決するための手段】
【０００６】
本発明のパチンコ遊技機は、遊技領域を視認可能にする透明部材を保持するとともに本体枠に対して開閉可能な透明部材保持枠が、前面側に設けられたパチンコ遊技機であって、前記透明部材保持枠の前面側には、遊技球を貯留する受け皿部が前記遊技領域の下方に設けられるとともに、前記遊技領域と前記受け皿部とを囲繞するように略連続的に装飾部が設けられ、前記装飾部の前壁部の全部又は一部が、前記透明部材保持枠に対して前方から開閉又は着脱可能に構成されたことを特徴とする。
【０００７】
ここで、前記装飾部の内部に装飾体が着脱可能に配置されて、前記前壁部を介して前記装飾体が視認可能に構成されていることとしてもよい。
【発明の効果】
【０００８】
透明部材保持枠の前面側に遊技領域と受け皿部とを囲繞するように略連続的に設けられた装飾を、透明部材保持枠を本体枠に対して閉じた状態で変更できるので、上下一連の装飾の変更が容易である。
【図面の簡単な説明】
【０００９】
【図１】第１実施形態に係るパチンコ遊技機の斜視図である。
【図２】第１実施形態に係るパチンコ遊技機において、本体枠、遊技盤取付枠、及び、透明部材保持枠を開放した状態の斜視図である。
【図３】第１実施形態に係るパチンコ遊技機の分解斜視図である。
【図４】第２実施形態に係るパチンコ遊技機の斜視図である。
【図５】第２実施形態に係るパチンコ遊技機の開閉蓋を開放した状態の斜視図である。
【発明を実施するための形態】
【００１０】
本発明の第１実施形態を図１〜３に基づいて説明する。図１及び図２に示すように、第１実施形態のパチンコ遊技機Ｐ１は、本体枠１と、本体枠１に開閉可能に取り付けられた遊技盤保持枠２と、遊技盤保持枠２の前面側に遊技盤保持枠２に対して開閉可能に配置された透明部材保持枠３とを備えている。透明部材保持枠３は本体枠１に開閉可能に取り付けられて、透明部材保持枠３が本体枠１に対して閉じた状態では、本体枠１と透明部材保持枠３とは、遊技盤保持枠２を囲繞した状態で当接する。遊技盤保持枠２の内側には遊技盤７（図２には図示せず。）が配置され、遊技盤７には、遊技球が打ち込まれる遊技領域８が形成されている。遊技領域８の中央部には、画像表示器９の液晶画面が配設されている。
【００１１】
透明部材保持枠３には、中央部上寄りの部位に開口部３１が形成され、ガラス板（透明部材に相当。）３２が、透明部材保持枠３の後面側に着脱可能に取り付けられて開口部３１を閉塞している。これにより、パチンコ遊技機Ｐ１は、ガラス板３２を通して遊技領域８を視認可能に構成されている。
【００１２】
透明部材保持枠３の前面側には、遊技領域８の下方に、前方に膨出する受け皿ユニット（受け皿部に相当。）６と、前方に突出する打球発射ハンドル１０とが設けられている。受け皿ユニット６は、遊技球を貯留して順に打球発射装置（図示せず。）に送込むための皿部６１と、演出の選択等に用いられる演出ボタン６２とを備えている。皿部６１から打球発射装置に送込まれた遊技球は、打球発射ハンドル１０が回動されることにより、遊技領域８に発射される。また、透明部材保持枠３の前面側には、装飾部４が、遊技領域８と受け皿ユニット６とを囲繞するように連続的に（環状に）設けられている。透明部材保持枠３の装飾部４の外側には、スピーカ５が左右にそれぞれ設けられている。なお、パチンコ遊技機Ｐ１及び後述するパチンコ遊技機Ｐ２において左右とは、パチンコ遊技機Ｐ１、Ｐ２に向かって左右をいう。
【００１３】
図３に示すように、装飾部４は、光透過性を有する合成樹脂製のカバー４１と、カバー４１の後側に配置された光透過性を有する装飾板（装飾体に相当。）４２と、装飾板４２の後面側に配置され複数のＬＥＤが配設された基板４３とから構成されている。カバー４１の前壁部は、装飾部４の前壁部に相当する。
【００１４】
カバー４１は、いずれも無色透明の上部カバー４１Ａと左部カバー４１Ｂと右部カバー４１Ｃと下部カバー４１Ｄとから構成されている。そして、上部カバー４１Ａの左下端に左部カバー４１Ｂが、上部カバー４１Ａの右下端に右部カバー４１Ｃが、左部カバー４１Ｂ及び右部カバー４１Ｃの下端に下部カバー４１Ｄが、それぞれ連接するように配置され、カバー４１は全体として、遊技領域８と受け皿ユニット６とを囲繞する環状に形成されている。カバー４１は、後端部に複数の係合爪４４を有し、各係合爪４４が、透明部材保持枠３の対応する箇所に形成された係合孔３３に係合されることにより、透明部材保持枠３に取り付けられ、また、係合爪４４と係合孔３３との係合を解除することにより、透明部材保持枠３から取り外される。このように、カバー４１は、透明部材保持枠３に対して前方から着脱可能に構成されている。そして、カバー４１の前壁部は装飾部４の前壁部に相当するから、すなわち、装飾部４の前壁部の全部が、透明部材保持枠３に対して前方から着脱可能に構成されている。また、左部カバー４１Ｂ及び右部カバー４１Ｃは、それぞれ、上端部に係合爪４５を有し、各係合爪４５は上部カバー４１Ａの左右下端部にそれぞれ設けられた係合孔４６に係合される。
【００１５】
装飾板４２は、いずれも有色透明でハートの模様が施された薄い板状の上部装飾板４２Ａと左部装飾板４２Ｂと右部装飾板４２Ｃと下部装飾板４２Ｄとから構成されている。そして、上部装飾板４２Ａ、左部装飾板４２Ｂ、右部装飾板４２Ｃ、下部装飾板４２Ｄは、それぞれ基板４３の上部、左部、右部、下部の前面に重ねられて、上部カバー４１Ａ、左部カバー４１Ｂ、右部カバー４１Ｃ、及び、下部カバー４１Ｄが上述したように透明部材保持枠３に取り付けられることにより、上部カバー４１Ａ、左部カバー４１Ｂ、右部カバー４１Ｃ、下部カバー４１Ｄの後端縁部にそれぞれ押さえられて、基板４３との重合状態を保つこととなる。なお、上部装飾板４２Ａ等を上部カバー４１Ａ等で押さえる代わりに、又は、押さえることに加えて、上部装飾板４２Ａ等を、上部カバー４１Ａ等又は透明部材保持枠３に係合させたり、上部カバー４１Ａ等又は基板４３に部分的に貼着したりしてもよい。
【００１６】
以上のように構成されたパチンコ遊技機Ｐ１において装飾板４２を変更する場合、左部カバー４１Ｂ及び右部カバー４１Ｃは、それぞれ、係合爪４４を、透明部材保持枠３との間に薄い板状の工具を差し込むことにより弾性変形させて係合孔３３から外すとともに、係合爪４５を係合孔４６の外方から押し込むことにより係合孔４６から外して、透明部材保持枠３から取り外す。上部カバー４１Ａは、左部カバー４１Ｂ及び右部カバー４１Ｃを取り外した状態で、各係合爪４４を同時に上記工具により弾性変形させて係合孔３３から外すことにより、透明部材保持枠３から取り外す。下部カバー４１Ｄは、各係合爪４４を同時に上記工具により弾性変形させて係合孔３３から外すことにより、透明部材保持枠３から取り外す。このように、上部カバー４１Ａ、左部カバー４１Ｂ、右部カバー４１Ｃ、及び、下部カバー４１Ｄを透明部材保持枠３から外して、上部装飾板４２Ａ、左部装飾板４２Ｂ、右部装飾板４２Ｃ、及び、下部装飾板４２Ｄを交換し、上部カバー４１Ａ、左部カバー４１Ｂ、右部カバー４１Ｃ、及び、下部カバー４１Ｄを、各係合爪４４、４５を対応する係合孔３３、４６に係合させることにより、透明部材保持枠３に再び取り付ける。
【００１７】
以上説明したように、パチンコ遊技機Ｐ１は、カバー４１が透明部材保持枠３に対して前方から着脱可能であるので、透明部材保持枠３を本体枠１に対して開放することなく、カバー４１を透明部材保持枠３から取り外して、装飾板４２を交換したり、装飾板４２以外の装飾体をカバー４１の後面側に配置したりして、再びカバー４１を透明部材保持枠３に取り付けることができる。また、カバー４１自体も、例えば有色のものや模様入りのもの等に交換可能である。したがって、パチンコ遊技機Ｐ１の前面側の装飾部４における装飾を容易に変更可能であり、遊技領域８のデザインに合わせることが容易である。特に、遊技領域８と受け皿ユニット６とを囲繞するように連続的に装飾部４が設けられているパチンコ遊技機Ｐ１では、上下でデザインの統一が図ることができるため、更に遊技領域８とその周囲の装飾部４とでデザインを統一すれば、全体のデザインの統一が図れ、非常に印象の強いパチンコ遊技機Ｐ１を提供できる。
【００１８】
次に、第２実施形態のパチンコ遊技機Ｐ２について、図４、５に基づいて説明する。なお、第１実施形態の構成要素に対応する構成要素については、第１実施形態と同一の符号を付して、説明を省略する。
【００１９】
パチンコ遊技機Ｐ２では、装飾部４は、前方が開放された合成樹脂製の箱体４０と、光透過性を有し箱体４０の前方開口部を開閉する合成樹脂製の開閉蓋４７と、箱体４０と開閉蓋４７とで形成される装飾部４の内部に配置された複数の装飾体４８（ここでは、雪だるま形状の可動役物）とから構成されている。
【００２０】
箱体４０は、受け皿ユニット６の上面より上方に配置される上部箱体４０Ａと、上部箱体４０Ａに連接して上部箱体４０Ａの下側に配置される下部箱体４０Ｂとから構成されている。上部箱体４０Ａ及び下部箱体４０Ｂは、いずれも透明部材保持枠３の後面側から透明部材保持枠３に螺子留めされ、前方からは取り外せないように構成されている。
【００２１】
開閉蓋４７は、いずれも無色透明の上部開閉蓋４７Ａと左部開閉蓋４７Ｂと右部開閉蓋４７Ｃと下部開閉蓋４７Ｄとから構成されている。開閉蓋４７は、装飾部４の前壁部に相当する。上部開閉蓋４７Ａ、左部開閉蓋４７Ｂ、右部開閉蓋４７Ｃ、下部開閉蓋４７Ｄには、いずれも後面に、ハートの模様が表された光透過性を有する装飾シート５１が剥離可能に貼着されている。装飾シート５１の装飾体４８の前方にあたる部位は、無色透明とされており、開閉蓋４７及び装飾シート５１を介して装飾体４８は前方から視認可能である。そして、上部開閉蓋４７Ａの左下端に左部開閉蓋４７Ｂが、上部開閉蓋４７Ａの右下端に右部開閉蓋４７Ｃが、左部開閉蓋４７Ｂ及び右部開閉蓋４７Ｃの下端に下部開閉蓋４７Ｄが、それぞれ連接するように配置され、開閉蓋４７は全体として、遊技領域８と受け皿ユニット６とを囲繞する環状に形成されている。そして、上部開閉蓋４７Ａ、左部開閉蓋４７Ｂ、及び、右部開閉蓋４７Ｃで、上部箱体４０Ａの前方開口部を閉塞し、下部開閉蓋４７Ｄで下部箱体４０Ｂの前方開口部を閉塞している。上部開閉蓋４７Ａ、左部開閉蓋４７Ｂ、右部開閉蓋４７Ｃ、下部開閉蓋４７Ｄは、いずれも螺子４９で前方から箱体４０に螺子留めされている。なお、螺子４９は、例えば特開２００２−３４９５３２号公報に示されるような螺子隠し蓋で隠すことが、デザイン面からは好ましい。そして、上部開閉蓋４７Ａ、左部開閉蓋４７Ｂ、右部開閉蓋４７Ｃ、下部開閉蓋４７Ｄは、図５に示すように、それぞれ蝶番で箱体４０に回動可能に取り付けられており、螺子４９を外すことにより回動可能となって、箱体４０の前方開口部を開放する。このように、開閉蓋４７は箱体４０に対して前方から開閉可能に構成されており、箱体４０は透明部材保持枠３に取り付けられていることから、開閉蓋４７（すなわち、装飾部４の前壁部の全部）は、透明部材保持枠３に対して前方から開閉可能に構成されていることとなる。
【００２２】
各装飾体４８は、底部に設けられたコネクタ部４８ａを、箱体４０の壁部に設けられたコネクタ部５０に接合することにより、箱体４０に対して着脱可能に取り付けられ、箱体４０外に設けられている図示しない基板から給電されるとともに制御されて、発光したり動作したりする。また、各装飾体４８は、コネクタ部４８ａとコネクタ部５０との接合を解除することにより、箱体４０から取り外される。
【００２３】
以上のように構成されたパチンコ遊技機Ｐ２において装飾体４８を変更する場合、各螺子４９を外して、図５に示すように、上部開閉蓋４７Ａ、左部開閉蓋４７Ｂ、右部開閉蓋４７Ｃ、及び、下部開閉蓋４７Ｄを開放する。そして、各装飾体４８を箱体４０から取り外して交換する。このとき、装飾シート５１も剥離して交換できる。そして、上部開閉蓋４７Ａ、左部開閉蓋４７Ｂ、右部開閉蓋４７Ｃ、及び、下部開閉蓋４７Ｄを閉めて、各螺子４９を再び螺着する。
【００２４】
以上説明したように、パチンコ遊技機Ｐ２は、開閉蓋４７が透明部材保持枠３に対して前方から開閉可能であるので、透明部材保持枠３を本体枠１に対して開放することなく、開閉蓋４７を透明部材保持枠３に対して開放して、装飾体４８を交換することができる。したがって、第１実施形態のパチンコ遊技機Ｐ１と同様に、パチンコ遊技機Ｐ２の前面側の装飾を容易に変更可能であり、前面側の装飾を遊技領域８のデザインに合わせることができ、全体のデザインの統一が図れる。
【００２５】
なお、上記各実施形態では、装飾部４の前壁部の全部を着脱可能或いは開閉可能としたが、例えば、上部カバー４１Ａのみを着脱可能としたり、上部開閉蓋４７Ａのみを開閉可能としたり、上部カバー４１Ａの一部のみを着脱可能としたりする等、装飾部４の前壁部の一部のみを開閉又は着脱可能としてもよい。装飾部４の前壁部の一部のみを開閉又は着脱可能としても、その一部を開放又は取り外すことにより形成される開口部から出し入れ可能な装飾体を装飾部４の内部に配置すれば、そのような装飾体を交換することより装飾を変更できるからである。
【００２６】
また、装飾部４の前壁部の全部又は一部を着脱可能とすれば、装飾体４８は必ずしも設けなくてもよい。装飾部４の前壁部の全部又は一部を交換することにより、装飾を変更できるからである。
【００２７】
また、上記各実施形態では、装飾部４を遊技領域８と受け皿ユニット６とを囲繞するように連続的に設けたが、装飾部４は完全に連続していなくてもよく、部分的に飛んだところがあってもよい。すなわち、装飾部４は略連続的に設けられていればよい。装飾部４が遊技領域８と受け皿ユニット６とを囲繞するように略連続的に設けられていれば、上下のデザインの統一感は出せるからである。
【符号の説明】
【００２８】
１…本体枠
３…透明部材保持枠
４…装飾部
６…受け皿部
８…遊技領域
３３…透明部材
４８…装飾体
Ｐ１、Ｐ２…パチンコ遊技機
【図１】
2012170466.tif 000003
【図２】
2012170466.tif 000004
【図３】
2012170466.tif 000005
【図４】
2012170466.tif 000006
【図５】
2012170466.tif 000007